(57)【要約】【課題】表示ユニットをスライドさせたときの衝突音を低減させる。【解決手段】ヒンジユニット３０が表示ユニット２０を本体１ａに対して回転自在に軸支すると共に回転軸Ａから離れる第１の方向に表示ユニット２０をスライド可能に保持するデジタルカメラ１において、ヒンジユニット３０は、トーションバネ３４がアームプレート３２に対してスライド可能に保持されたスライドプレート３３を第１の方向に付勢する。スライドプレート３３をアームプレート３２に対してスライドさせたときに、スライドプレート３３に設けたストッパ部材３７がトーションバネ３４を係止するためにアームプレート３２に配置された係止ピン３５に当接することによりスライドプレート３３の移動を規制し、ストッパ部材３７を弾性材料で構成することにより、衝突音を軽減する。【選択図】図３
2015144362.tif 000002
【特許請求の範囲】
【請求項１】
本体に表示装置が取り付けられた電子機器であって、
前記表示装置を前記本体に対して回転自在に軸支すると共に、前記表示装置を軸支する回転軸から離れる第１の方向に前記表示装置をスライド可能に保持するヒンジユニットを備え、
前記ヒンジユニットは、
前記表示装置を前記第１の方向に付勢する付勢部材と、
前記本体に対して回転自在に連結される第１のプレート部材と、
前記回転軸にて前記第１のプレート部材に対して回転自在に連結される第２のプレート部材と、
前記第２のプレート部材に対してスライド可能に保持され、前記表示装置が取り付けられる第３のプレート部材と、
前記第２のプレート部材に取り付けられ、前記付勢部材を支持する第１の係止ピンと、
前記第３のプレート部材に取り付けられた弾性材料からなるストッパ部材とを有し、
前記第３のプレート部材を前記第２のプレート部材に対して前記第１の方向にスライドさせたときに、前記ストッパ部材が前記第１の係止ピンに当接することにより前記第３のプレート部材の前記第２のプレート部材に対する移動が規制されることを特徴とする電子機器。
【請求項２】
前記第３のプレート部材は、前記第１の方向を長手方向とする長穴を有し、
前記ヒンジユニットは、前記長穴に挿通された状態で前記第２のプレート部材に対して固定された第２の係止ピンを有し、
前記第２の係止ピンにより前記第２のプレート部材と前記第３のプレート部材の前記第２の係止ピンのスラスト方向の動きが規制されることを特徴とする請求項１に記載の電子機器。
【請求項３】
前記第２の係止ピンは、前記回転軸の軸線の略中央に対応する位置に配置されていることを特徴とする請求項２に記載の電子機器。
【請求項４】
前記ストッパ部材と前記第１の係止ピンとは、前記回転軸の略中央に対応する位置に配置されていることを特徴とする請求項１乃至３のいずれか１項に記載の電子機器。
【発明の詳細な説明】
【技術分野】
【０００１】
本発明は、デジタルカメラや携帯情報端末等の電子機器に関し、特に、電子機器本体に対して可動に取り付けられる液晶ディスプレイ等の表示装置の支持構造に関する。
【背景技術】
【０００２】
デジタルカメラ等の撮像装置では、撮影レンズで撮像素子上に光学像を結像させ、撮像素子により光学像を光電変換し、光電変換により得られる画像信号や画像情報を、例えばＪＰＥＧ等のファイル形式の画像データに圧縮して保存している。一般的に、このような撮像装置の背面には、撮影中の被写体像の確認や撮影された画像の再生表示、撮像装置の各種設定を行うためのメニュー表示等に用いられる液晶ディスプレイ（ＬＣＤ）等の表示部が設けられている。
【０００３】
撮像装置の中には、表示部を含む表示ユニットが撮像装置本体に対して回転するように支持されているものがある（例えば、特許文献１参照）。
【先行技術文献】
【特許文献】
【０００４】
【特許文献１】特開平９−１６３１９１号公報
【発明の概要】
【発明が解決しようとする課題】
【０００５】
図８は、本体に対して表示ユニットが可動に支持されたデジタルカメラ９０の一例の正面図及び側面図である。図８（ａ），（ｃ）に図示するように、デジタルカメラ９０の本体９１の背面には、表示部９２ａを有する表示ユニット９２が取り付けられている。
【０００６】
デジタルカメラ９０では、図８（ａ）に図示するように、表示ユニット９２を回転軸Ａから離れるように矢印Ｐ方向（延出方向）に引っ張り出して、表示ユニット９２を回転軸Ａ回りに０〜１８０°の角度範囲で回転させることができるようになっている。図８（ｂ），（ｃ）には、表示ユニット９２を１８０°回転させて、表示部９２ａを本体９１の前方側に向けた状態が示されており、この状態では、撮影者が自身を液晶パネル９２ａで確認しながら撮影を行う、所謂、自分撮りを容易に行うことができる。
【０００７】
ここで、デジタルカメラ９０の本体９１の上面中央部には、外付けのストロボ発光装置や光学式或いは電子式の外付けファインダ等のアクセサリを装着する為のアクセサリシュー９３が配置されている。また、内蔵式のポップアップストロボ９４が本体９１に収容されている部分（本体９１の前方から見て右側の部分）では、前方から見て左側の部分よりも高くなっている。
【０００８】
この場合、表示ユニット９２を矢印Ｐ方向に引っ張り出す（スライドさせる）ことなく回転させると、表示部９２ａの一部が本体９１の上部で隠れてしまうことになる。しかし、デジタルカメラ９０では、表示ユニット９２を矢印Ｐ方向にスライドさせてから回転させることができるようになっているため、撮影者は表示部９２ａの全体を見ることができる。
【０００９】
しかしながら、表示ユニット９２を矢印Ｐ方向にスライドさせたときに、表示ユニット９２がスライド端に衝突して衝突音が発生するという問題がある。
【００１０】
本発明は、表示ユニット（表示装置）をスライドさせたときの衝突音を低減させることを目的とする。
【課題を解決するための手段】
【００１１】
本発明に係る電子機器は、本体に表示装置が取り付けられた電子機器であって、前記表示装置を前記本体に対して回転自在に軸支すると共に、前記表示装置を軸支する回転軸から離れる第１の方向に前記表示装置をスライド可能に保持するヒンジユニットを備え、前記ヒンジユニットは、前記表示装置を前記第１の方向に付勢する付勢部材と、前記本体に対して回転自在に連結される第１のプレート部材と、前記回転軸にて前記第１のプレート部材に対して回転自在に連結される第２のプレート部材と、前記第２のプレート部材に対してスライド可能に保持され、前記表示装置が取り付けられる第３のプレート部材と、前記第２のプレート部材に取り付けられ、前記付勢部材を支持する第１の係止ピンと、前記第３のプレート部材に取り付けられた弾性材料からなるストッパ部材とを有し、前記第３のプレート部材を前記第２のプレート部材に対して前記第１の方向にスライドさせたときに、前記ストッパ部材が前記第１の係止ピンに当接することにより前記第３のプレート部材の前記第２のプレート部材に対する移動が規制されることを特徴とする。
【発明の効果】
【００１２】
本発明によれば、表示ユニット（表示装置）をスライドさせたときの衝突音を低減させることができる。
【図面の簡単な説明】
【００１３】
【図１】本発明の実施形態に係る撮像装置の一例であるデジタルカメラの正面側斜視図及び背面側斜視図である。
【図２】デジタルカメラの背面側の分解斜視図と、デジタルカメラが備えるフレキシブル配線板の概略構造を示す平面図である。
【図３】デジタルカメラが備えるヒンジユニットの分解斜視図である。
【図４】デジタルカメラにおいて表示ユニットが収納位置にあるときの背面側斜視図と、表示ユニットを収納位置から回転軸Ａ回りに回転させたときの状態を示す背面側斜視図である。
【図５】デジタルカメラにおいて表示ユニットが図４（ｂ）の状態からさらに回転させた状態にあるときの背面側斜視図と、表示ユニットを収納位置から回転軸Ｂ回りに回転させたときの状態を示す背面側斜視図である。
【図６】デジタルカメラにおいて表示ユニットが収納位置にあるときのアームプレートとスライドプレートとをスライドプレート側から見た平面図と、表示ユニットを収納位置から回転軸Ａ回りに回転させたときの状態にあるときのアームプレートとスライドプレートとをスライドプレート側から見た平面図である。
【図７】図６（ｂ）中の矢視Ｃ−Ｃ断面図及び矢視Ｄ−Ｄ断面図である。
【図８】本体に対して表示ユニットが可動に支持されたデジタルカメラの一例を示す正面図及び側面図である。
【発明を実施するための形態】
【００１４】
以下、本発明の実施形態について、添付図面を参照して詳細に説明する。ここでは、本発明に係る電子機器として、所謂、コンパクトタイプのデジタルカメラを取り上げることとする。
【００１５】
図１（ａ）は、本発明の実施形態に係るデジタルカメラ１の正面側斜視図である。また、図１（ｂ）は、デジタルカメラ１の背面側斜視図である。図１（ａ）に図示するように、デジタルカメラ１の本体１ａの正面には、鏡筒ユニット２が配置されている。
【００１６】
なお、鏡筒ユニット２は沈胴式のズームレンズであり、デジタルカメラ１が撮影不能状態（電源オフ状態）になると、鏡筒ユニット２が沈胴し、被写体側のレンズはレンズバリア２ａによって保護された状態となる。
【００１７】
デジタルカメラ１の本体１ａの正面側から見て右上方には、内蔵式のストロボユニット３が設けられている。一方、デジタルカメラ１の本体１ａの正面側から見て左側の上面には、レリーズボタン４が配置されている。
【００１８】
レリーズボタン４の外周には、回転操作型のズームレバー５が設けられている。デジタルカメラ１の本体１ａの正面側から見てズームレバー５の右側には、電源ボタン６が配置されている。また、電源ボタン６の両隣りには、本体１ａに内蔵したマイク（不図示）に音声を取り込むマイク穴７が設けられている。
【００１９】
デジタルカメラ１の本体１ａの正面側から見てズームレバー５の左側には、モード設定ダイヤル８が配置されている。
【００２０】
デジタルカメラ１の本体１ａの上面中央部には、外付けのストロボ発光装置や外付けの電子ファインダ等のアクセサリを装着する為のアクセサリシュー１０が設けられている。なお、図１の各図には、アクセサリシュー１０の内部のコネクタを保護するためのシューカバー１０ａが取り付けられた状態が示されている。外付けのストロボ発光装置等のアクセサリをアクセサリシュー１０に装着する際には、シューカバー１０ａを本体１ａの背面側へスライドさせて取り外した後、アクセサリのコネクタ部を背面側から正面側へスライドさせてアクセサリシュー１０に装着する。
【００２１】
デジタルカメラ１の本体１ａの下面には、電池蓋９が配置されている。デジタルカメラ１の本体１ａの側面には、信号入出力端子（不図示）が設けられており、信号入出力端子はジャックカバー１１によって覆われて保護されている。
【００２２】
図１（ｂ）に図示するように、デジタルカメラ１の本体１ａの背面には、被写体像の確認を行う表示装置としての表示ユニット２０が設けられている。表示ユニット２０は、表示部２１を有し、本体１ａに密着した収納状態と図８に示したデジタルカメラ９０と同様に本体１の正面側に液晶表示部２１が向いた状態との間で、略１８０°回転自在となっている。
【００２３】
図１（ｂ）に図示するように、デジタルカメラ１の本体１ａの背面には、複数の操作ボタンからなる操作ボタン群１２が設けられている。
【００２４】
次に、デジタルカメラ１における表示ユニット２０及びその周辺構造について説明する。図２（ａ）は、デジタルカメラ１の背面側の分解斜視図である。表示部２１は、保護窓、静電容量方式等のタッチパネル及び液晶パネルで構成されており、その外形に沿って形成されたロの字形の両面テープ２３によって外装カバー２２に接着される。なお、液晶パネルは有機ＥＬパネル等の表示パネルであってもよい。外装カバー２２に対する表示部２１の組み付け方向とは逆の方向から外装カバー２２に対して背面遮光カバー２４が組み付けられる。
【００２５】
背面遮光カバー２４には、フレキシブル配線板２５（以下、フレキ板２５）を通過させる開口部２４ａが形成されており、開口部２４ａ以外の部位は、表示部２１の４辺を覆い、表示部２１に対する遮光と補強の役割を担っている。また、背面遮光カバー２４には、表示部２１と背面遮光カバー２４とを接着する両面テープ２６が複数箇所に貼り付けられている。両面テープ２６は、ロの字形の両面テープ２３の接着面積を広く取ることができず、また、厚さを厚くすることができない等の理由から設けられているもので、表示部２１の浮き上がり防止や剥がれ防止を補助する役割を担っている。表示ユニット２０は、ヒンジユニット３０を介して本体１ａの背面側に回転自在に軸支される。
【００２６】
表示ユニット２０は、外装カバー２２に形成された凹部に収納されて、接着固定された磁場発生手段としてのマグネット２７を有する。マグネット２７は、本体１ａ内に配置された磁気センサ（不図示）がマグネット２７の位置を検出することにより、本体１ａに対する表示ユニット２０の状態を検出することができる。磁気センサには、例えば、巨大磁気抵抗（Giant Magnet Resistance:ＧＭＲ）素子や半導体ホール素子が用いられる。本実施形態では、磁気センサにＧＭＲ素子を用い、ＧＭＲ素子が検出する磁気の値に閾値を設定し、マグネット２７の位置によって変化する磁気の値に応じて表示部２１に表示される画像の上下を反転させる。
【００２７】
表示ユニット２０の回転操作の詳細については後述する。図１（ｂ）の状態にある表示ユニット２０を図１０（ｂ）に示す状態となるように回転させたときの回転角度が予め定められた所定の角度を超えたことが検出される。このとき、表示部２１に表示される画像（映像）の上下反転が行われる。表示ユニット２０の回転角度がこの所定角度から略１８０°までの間にあるときには、上下反転された画像（映像）表示状態が維持され、この状態では、表示部２１は、概ね、デジタルカメラ１の正面側を向く。つまり、撮影方向と表示画面の方向が同一方向になるため、撮影者が自分自身を撮影する、所謂、自分撮り撮影に適した状態が維持される。
【００２８】
図２（ｂ）は、フレキ板２５の概略構造を示す平面図である。フレキ板２５は、表示部２１の背面側に配置され、その裏面側が両面テープ（不図示）によって表示部２１に貼り付けられて固定される。フレキ板２５には、表示部２１を駆動させる駆動回路２５ｇ及びコネクタ２５ａ，２５ｂが実装されている。コネクタ２５ａ，２５ｂには、表示部２１から引き出されるフレキ板（不図示）が接続される。フレキ板２５においてコネクタ２５ａ，２５ｂが実装されている側の反対側には、本体１ａの内部に配置された主基板（不図示）と接続される接続端子部２５ｃが形成されている。フレキ板２５は、コネクタ２５ａ，２５ｂ及び接続端子部２５ｃを介して、本体１ａの内部に配置された主基板（不図示）と表示部２１との間で各種の信号の伝達を行う。
【００２９】
フレキ板２５は、第１の折り返し部２５ｄ、第２の折り返し部２５ｅ及び第３の折り返し部２５ｆにて、折り返された状態で表示ユニット２０の内部に収容されている。
【００３０】
図３は、ヒンジユニット３０の分解斜視図である。ヒンジユニット３０は、互いに平行な２つのヒンジ回転軸を備える。本実施形態では、これら２つのヒンジ回転軸のうち、図３中で上方に配置されるヒンジ回転軸を「回転軸Ａ」と定義し、図３中で下方に配置されるヒンジ回転軸を「回転軸Ｂ」と定義する。
【００３１】
図３に図示するように、スタンドプレート３８，３９は、本体部１ａの下側の左右それぞれにビスで締結され、スタンドプレート３８，３９の立ち壁部には、回転軸Ｂと同軸となるように孔部３８ｂ，３９ｂが設けられている。本体１ａと表示ユニット２０とは、本体１ａと一体となるスタンドプレート３８，３９を介してベースプレート３１（第１のプレート部材）によって可動に連結される。そして、ベースプレート３１に対して、アームプレート３２（第２のプレート部材）が、ベースプレート３１に重ね合わせられるように可動に連結される。アームプレート３２には、丸穴３２ｃが形成されている。
【００３２】
図３に図示するように、ベースプレート３１の両端の立ち壁部にはそれぞれ、一対の側面カバー６０，６１が、上下２本のビス６３で締結される。側面カバー６０，６１は、表示ユニット２０を本体１ａに対して動かすと外観に露出する準外観部品であり、そのため、塗装或いは表面シボ加工が施されており、また、回転軸Ｂのカシメ加工痕を覆い隠すように形成されている。
【００３３】
側面カバー６０，６１にはそれぞれ、カム部として傾斜部６０ａ，６１ａと凹形状部６０ｂ，６１ｂとが形成されている。傾斜部６０ａ，６１ａは、本体１ａに表示ユニット２０を収納する際に表示ユニット２０の外装カバー２２のフォロワ部２２ｅ（図６〜図８参照）に当接し、収納時に作用する押圧力によってフォロワ部２２ｅがトレースする面となる。そのため、傾斜部６０ａ，６１ａは、摺動面として、シボ加工等の凹凸のない鏡面仕上げとなっている。
【００３４】
本体１ａに表示ユニット２０が収納される際には、外装カバー２２のフォロワ部２２ｅが凹形状部６０ｂ，６１ｂに係合することにより、表示ユニット２０が本体１ａに保持される。
【００３５】
図３に図示するように、支持ピン４０が、スペーサワッシャ４４、スタンドプレート３８に設けられた孔部３８ｂ、ベースプレート３１に設けられた回転軸孔３１ｂ１及びクリックプレート４２に挿通され、カシメ固定される。同様に、支持ピン４１が、スペーサワッシャ４５、スタンドプレート３９に設けられた孔部３９ｂ、ベースプレート３１に設けられた回転軸孔３１ｂ２及びクリックプレート４３に挿通され、カシメ固定される。これにより、ベースプレート３１は、スタンドプレート３８，３９に対して、回転軸Ｂ回りに回転自在に連結される。ベースプレート３１がクリックプレート４２，４３から回転摩擦抵抗力を受けることで、表示ユニット２０は所定角度の回転位置で摩擦保持される。
【００３６】
図３に図示するように、支持ピン４６が、カバー部材２８、スペーサワッシャ５１、アームプレート３２に設けられた回転軸孔３２ａ１、ベースプレート３１に設けられた回転軸孔３１ａ１及びクリックプレート４８に挿通され、カシメ固定される。同様に、支持ピン４７が、カバー部材２９、スペーサワッシャ５０、アームプレート３２に設けられた回転軸孔３２ａ２、ベースプレート３１に設けられた回転軸孔３１ａ２及びクリックプレート４９に挿通され、カシメ固定される。これにより、アームプレート３２は、ベースプレート３１に対して回転軸Ａ回りに回転自在に連結される。アームプレート３２がクリックプレート４８，４９から回転摩擦抵抗力を受けることで、表示ユニット２０は所定角度の回転位置で摩擦保持される。アームプレート３２には、フレキカバー７０が取り付けられている。フレキカバー７０は、低摩擦な摺動性に優れる樹脂、例えば、ポリアセタール（ＰＯＭ）やポリアミド（ＰＡ）等からなる。
【００３７】
カバー部材２８，２９は、外装カバー２２の切り欠き部からヒンジユニット３０の一部が外観に露出しないように覆い隠す部材であるため、カバー部材２８，２９の外観への露出部には、外装カバー２２と同じ表面処理又はシボ加工が施される。
【００３８】
図３に図示するように、スライドプレート３３（第３のプレート部材）には、長穴３３ａが形成されている。係止ピン（第２の係止ピン）５６は、長穴３３ａに挿通されてアームプレート３２の丸穴３２ｃにカシメ固定されている。長穴３３ａは、長手方向がスライドプレート３３のスライド方向となった長穴となっている。したがって、係止ピン５６と長穴３３ａによって、アームプレート３２に対するスライドプレート３３の移動が案内される。
【００３９】
スライドプレート３３の両端にはそれぞれ、略コの字形のスライダ部材５２が固定され、アームプレート３２の両方の端面３２ｂがそれぞれスライダ部材５２に摺動するように係合される。つまり、スライドプレート３３は、スライダ部材５２を介してアームプレート３２に対してスライド可能に保持される。スライダ部材５２は、低摩擦な摺動性に優れる樹脂、例えば、ポリアセタール（ＰＯＭ）やポリアミド（ＰＡ）等からなる。また、アームプレート３２の両方の端面３２ｂには、摩擦を小さくする表面処理やオイル（グリス）塗布がなされており、これにより摺動性が高められている。
【００４０】
図３に図示するように、アームプレート３２に形成された凹形状部３２ｃには、トーションバネ３４が配置されている。トーションバネ３４の各端部は、アームプレート３２とスライドプレート３３のそれぞれにカシメ加工により設けられた係止ピン３５，３６に係止されている。これにより、トーションバネ３４は、アームプレート３２に対してスライドプレート３３を常に矢印Ｓ方向（図３参照）に付勢する付勢部材として機能する。
【００４１】
図３に図示するように、アームプレート３２の凹形状部３２ｃと重なる領域には、ベースプレート開口部３１ｃとスライドプレート開口部３３ｃとが設けられている。これにより、トーションバネ３４は、ベースプレート３１及びスライドプレート３３と厚さ方向で重なり合うことがないため、ヒンジユニット３０の薄型化を図ることができる。また、トーションバネ３４が伸縮してもベースプレート３１と接触することがなく、スライドプレート３３とも接触しない。
【００４２】
図３に図示するように、スライドプレート３３には、ストッパ部材３７が固定されている。スライドプレート３３をスライドさせると、所定量移動したときに、ストッパ部材３７がアームプレート３２にカシメ固定された係止ピン（第１の係止ピン）３５と当接する。これにより、スライドプレート３３のスライドが制限される。ストッパ部材３７は、例えば、ポリアセタール（ＰＯＭ）やポリアミド（ＰＡ）等の樹脂が用いられ、これにより衝突音の軽減と、良好な耐摩耗性の確保が図られている。
【００４３】
図３に図示するように、アームプレート３２の凹形状部３２ｃには、アームプレート３２とスライドプレート３３との電気的接続を確保するためのグランドプレート５５が、取り付けられている。グランドプレート５５は、バネ性を有する接点部５５ａを有する。グランドプレート５５は、接点部５５ａがスライドプレート３３のスライド範囲内で常にスライドプレート３３と接触するように配置されている。図２（ａ）に図示した表示ユニット２０は、スライドプレート３３に取り付けられている。
【００４４】
図４（ａ）は、表示ユニット２０がデジタルカメラ１の本体１ａに収納された状態（収納位置）にあるときのデジタルカメラ１の背面側斜視図である。この状態では、外装カバー２２のフォロワ部２２ｅが、側面カバー６０，６１に形成される凹形状部６０ｂ，６１ｂにそれぞれ係合する。
【００４５】
表示ユニット２０を構成する外装カバー２２の上部及び下部にはそれぞれ、突起形状部２２ａ及び窪み形状部２２ｂが形成されている。突起形状部２２ａ及び窪み形状部２２ｂはそれぞれ、表示ユニット２０を回転させる際に、指掛かりとして機能する。
【００４６】
外装カバー２２において、突起形状部２２ａの両脇（外装カバー２２の上部両端近傍）には、切り欠き部２２ｃが設けられており、カバー部材２８，２９の一部が切り欠き部２２ｃから露出する。カバー部材２８，２９の露出部には、外装カバー２２と同じ表面処理又はシボ加工が施されている。
【００４７】
図４（ｂ）は、デジタルカメラ１の本体１ａに対して表示ユニット２０を回転軸Ａ回りに回転させるために、表示ユニット２０を収納位置からスライドさせたときのデジタルカメラ１の背面側斜視図である。図４（ａ）に図示する第１の位置から表示ユニット２０を回転軸Ａ回りに回転させる際には、外装カバー２２に形成された窪み形状部２２ｂに指を掛け、表示ユニット２０の下側を撮影者側に引き出す。このとき、外装カバー２２のフォロワ部２２ｅと側面カバー６０，６１に形成される凹形状部６０ｂ，６１ｂとの係合が外れ、ヒンジユニット３０のトーションバネ３４が表示ユニット２０に作用する。外装カバー２２のフォロワ部２２ｅと凹形状部６０ｂ，６１ｂとの係合が外れると、外装カバー２２のフォロワ部２２ｅが側面カバー６０，６１に形成される傾斜部６０ａ，６１ａ上をそれぞれ摺動する。このとき、スライドプレート３３に固定されたストッパ部材３７がアームプレート３２に固定された係止ピン３５に当接するまで、スライドプレート３３がアームプレート３２に対してスライドする。これによって、表示ユニット２０は下側に向けて、所定量（所定距離）だけスライド移動する。
【００４８】
図５（ａ）は、表示ユニット２０を図４（ｂ）に図示する状態から回転軸Ａ回りにさらに回転させた状態にあるときのデジタルカメラ１の背面側斜視図である。図５（ａ）に図示する状態では、表示ユニット２０の表示部２１が本体１ａの正面側を向いて、所謂、自分撮り撮影に適した位置とすることができる。なお、表示部２１が本体１ａの正面側を向く回転の途中で、前述のＧＭＲ素子がマグネット２７の位置を検出して画面表示の切り替えスイッチが動作し、表示部２１に表示される画像（映像）の上下が反転する。
【００４９】
図５（ｂ）は、表示ユニット２０を図４（ａ）の収納位置から回転軸Ｂ回りに所定角度（ここでは略４５°）だけ回転させた状態のデジタルカメラ１の背面側斜視図である。表示ユニット２０を構成する外装カバー２２の上部に設けられた突起形状部２２ａに指を掛ける等して、回転軸Ｂ回りに表示ユニット２０を回転させることができる。
【００５０】
図６（ａ）は、表示ユニット２０が収納位置（図４（ａ）参照）にあるときのアームプレート３２とスライドプレート３３とをスライドプレート３３側から見た平面図である。図６（ｂ）は、表示ユニット２０を収納位置から下側方向（図５中の矢印Ｓ方向）へスライドさせたスライド位置（図４（ｂ）参照）にあるときのアームプレート３２とスライドプレート３３とをスライドプレート３３側から見た平面図である。図７（ａ）は、図６（ｂ）中の矢視Ｃ−Ｃ断面図であり、図７（ｂ）は図６（ｂ）中の矢視Ｄ−Ｄ断面図である。
【００５１】
図６（ａ）の収納位置から図６（ｂ）のスライド位置へ移動させるためにスライドプレート３３（表示ユニット２０）を下側方向にスライドさせる。このとき、スライドプレート３３上に形成された平面３３ｃと係止ピン５６上に形成されたフランジ面５６ａとが摺動するための適度な隙間が設けられている。これによって、スライドプレート３３とアームプレート３２のスラスト方向（係止ピン５６の軸方向）の動きが規制される。このとき、本体１ａに対して、回転軸Ａの軸線の略中央に対応する位置に係止ピン５６を設けることにより、スライドプレート３３とアームプレート３２のスラスト方向の動きを効果的に規制することができる。
【００５２】
スライドプレート３３上に形成された曲げ部３３ｂに固定されたストッパ部材３７に形成された平面３７ａとスライドプレート３３に形成された平面３２ｄとの間には、摺動のための適度な隙間が設けられている。これにより、ストッパ部材３７とアームプレート３２にカシメ固定された係止ピン３５とが当接して、アームプレート３２のスライド移動が規制される。なお、ストッパ部材３７と係止ピン３５とを回転軸Ａの軸線の略中央に対応する位置に係止ピン５６を設けることにより、スライドプレート３３のアームプレート３２に対する回転軸Ａと平行な方向でのブレを効果的に規制することができる。
【００５３】
仮に、ストッパ部材３７をスライドプレート３３に配置しない構造とした場合には、表示ユニット２０をスライドさせたときに、スライドプレート３３上に形成された曲げ部３３ｂと係止ピン３５とが当接して大きな衝突音が発生してしまう。これに対して、本実施形態では、アームプレート３２にカシメ固定された係止ピン３５をスライドプレート３３に配置されたストッパ部材３７に衝突（当接）させている。このとき、ストッパ部材３７を、衝突音が軽減される樹脂、例えばポリアセタール（ＰＯＭ）やポリアミド（ＰＡ）等で構成することにより、衝突音を低減させて操作感を良好なものとし、使用感の品位を高めることができる。
【００５４】
なお、上記実施形態では、ストッパ部材３７を合成樹脂材料で構成したが、静圧強度が確保出来る場合には、より衝突音が軽減される弾性材料（例えば、ゴムやエラストマ）を用いてもよい。また、スライドプレート３３の平面３３ｃと係止ピン５６のフランジ面５６ａとの間に摺動のために隙間を設けたが、表示ユニット２０のスライド操作時に適度な摩擦を持たせる場合には、これらを当接させ、或いは、隙間に摺動性樹脂等の別部材を配置してもよい。更に、ストッパ部材３７に形成された平面３７ａとアームプレート３２の平面３２ｄとの間に摺動のための隙間を設けたが、表示ユニット２０のスライド操作時に適度な摩擦を持たせる場合には、これらを当接させ、或いは、隙間に摺動性樹脂等の別部材を配置してもよい。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、ヒンジユニット３０をコンパクトタイプのデジタルカメラ１に適用したが、これに限られるものではない。例えば、本実施形態に係るヒンジユニット３０の構造は、デジタル一眼レフカメラ、デジタルビデオカメラ等の他の撮像装置や携帯情報端末等の他の電子機器に適用することができる。
【符号の説明】
【００５６】
１    デジタルカメラ（撮像装置）
１ａ    本体
２０    表示ユニット
２１    表示部
３０    ヒンジユニット
３１    ベースプレート
３２    アームプレート
３３    スライドプレート
３４    トーションバネ
３５，３６，５６    係止ピン
３７    ストッパ部材
【図１】
2015144362.tif 000003
【図２】
2015144362.tif 000004
【図３】
2015144362.tif 000005
【図４】
2015144362.tif 000006
【図５】
2015144362.tif 000007
【図６】
2015144362.tif 000008
【図７】
2015144362.tif 000009
【図８】
2015144362.tif 000010